(57)【特許請求の範囲】
【請求項１】
電動ブラインドに対応付けられた人物在席位置における、前記電動ブラインドの遮光または減光のための制御量を記憶するブラインド制御量情報記憶部と、
前記人物在席位置における人物の在席状態を登録する在席状態登録部と、
前記在席状態登録部に登録された前記在席状態に基づき前記ブラインド制御量情報記憶部から前記制御量を読み込み、この読み込んだ制御量に基づいて前記電動ブラインドを動作させるブラインド制御コマンドを生成するブラインド制御コマンド生成部と、
前記ブラインド制御コマンド生成部が生成した前記ブラインド制御コマンドを前記電動ブラインドに供給して制御するブラインド制御部と、
を備えることを特徴とする電動ブラインド制御装置。
【請求項２】
前記ブラインド制御コマンド生成部は、前記在席状態登録部に登録された前記在席状態に人物の着席状態が含まれる場合に、前記着席状態に対応する人物在席位置のうち前記電動ブラインドに最も近い位置における前記電動ブラインドの制御量を前記ブラインド制御量情報記憶部から読み込む
ことを特徴とする請求項１記載の電動ブラインド制御装置。
【請求項３】
前記人物在席位置に人物が着席していないときにおける前記電動ブラインドの制御量である不在時制御量を記憶する不在時制御量情報記憶部をさらに備え、
前記ブラインド制御コマンド生成部は、前記在席状態登録部に登録された前記在席状態に人物の着席状態が含まれない場合に、前記不在時制御量情報記憶部から前記不在時制御量を読み込み、この読み込んだ不在時制御量に基づいて前記電動ブラインドを動作させるブラインド制御コマンドを生成する
ことを特徴とする請求項１記載の電動ブラインド制御装置。
【請求項４】
電動ブラインドに対応付けられた人物在席位置における、前記電動ブラインドの遮光または減光のための制御量を記憶するブラインド制御量情報記憶部を備えるコンピュータを、
前記人物在席位置における人物の在席状態を登録する在席状態登録手段と、
前記在席状態登録手段に登録された前記在席状態に基づき前記ブラインド制御量情報記憶部から前記制御量を読み込み、この読み込んだ制御量に基づいて前記電動ブラインドを動作させるブラインド制御コマンドを生成するブラインド制御コマンド生成手段と、
前記ブラインド制御コマンド生成手段が生成した前記ブラインド制御コマンドを前記電動ブラインドに供給して制御するブラインド制御手段と、
して機能させるための電動ブラインド制御プログラム。
【発明の詳細な説明】
【技術分野】
【０００１】
本発明は、電動ブラインドの動作を制御する電動ブラインド制御装置および電動ブラインド制御プログラムに関する。
【背景技術】
【０００２】
電動ブラインドを、予め設定したスケジュールにしたがって昇降させたりスラットを開閉させたりする制御技術が知られている。このような従来の電動ブラインド制御技術においては、天気に応じて電動ブラインドの動作を変更することも実現されている（例えば、特許文献１参照）。
【先行技術文献】
【特許文献】
【０００３】
【特許文献１】特開平６−２９９７６８号公報
【発明の概要】
【発明が解決しようとする課題】
【０００４】
例えば、窓に隣接するようにして電動ブラインドが設置されるオフィスフロアには、複数のデスクが配置されることが多い。このような室内環境において、電動ブラインドに近い方に着席する人の位置と電動ブラインドから遠い方に着席する人の位置とでは、太陽に対する仰角が異なるためにスラットの隙間を通して入射される太陽光の量が異なる。つまり、電動ブラインドの最適なスラット角度は、場所により異なる。また、一般的に、電動ブラインドに近い方に着席する人と電動ブラインドから遠い方に着席する人とでは、電動ブラインドに近い方に着席する人の方が、眩しさを感じる度合いは大きい。よって、上記のような電動ブラインド制御技術を適用した電動ブラインドを使用した場合であっても、電動ブラインドに近い方に着席している人が、その人自身の眩しさを軽減するために電動ブラインドを操作することが多い。
また、電動ブラインドから遠い方にのみ人が着席している場合、その人は電動ブラインドに近い方の席を考慮することなく電動ブラインドを操作してより多くの太陽光を取り入れ、室内を明るくしたり室温を上げたりして省エネルギに貢献したいと望むこともある。
【０００５】
そこで、本発明は上記事情に鑑みてなされたものであり、電動ブラインドを通した眩しさの軽減と室内の省エネルギの確保とを、室内に存在する人の配置に応じて適切に行うことのできる、電動ブラインド制御装置および電動ブラインド制御プログラムを提供することを目的とする。
【課題を解決するための手段】
【０００６】
［１］上記の課題を解決するため、本発明の一態様である電動ブラインド制御装置は、電動ブラインドに対応付けられた人物在席位置における、前記電動ブラインドの遮光または減光のための制御量を記憶するブラインド制御量情報記憶部と、前記人物在席位置における人物の在席状態を登録する在席状態登録部と、前記在席状態登録部に登録された前記在席状態に基づき前記ブラインド制御量情報記憶部から前記制御量を読み込み、この読み込んだ制御量に基づいて前記電動ブラインドを動作させるブラインド制御コマンドを生成するブラインド制御コマンド生成部と、前記ブラインド制御コマンド生成部が生成した前記ブラインド制御コマンドを前記電動ブラインドに供給して制御するブラインド制御部と、を備えることを特徴とする。
［２］上記［１］記載の電動ブラインド制御装置において、前記ブラインド制御コマンド生成部は、前記在席状態登録部に登録された前記在席状態に人物の着席状態が含まれる場合に、前記着席状態に対応する人物在席位置のうち前記電動ブラインドに最も近い位置における前記電動ブラインドの制御量を前記ブラインド制御量情報記憶部から読み込むことを特徴とする。
［３］上記［１］記載の電動ブラインド制御装置において、前記人物在席位置に人物が着席していないときにおける前記電動ブラインドの制御量である不在時制御量を記憶する不在時制御量情報記憶部をさらに備え、前記ブラインド制御コマンド生成部は、前記在席状態登録部に登録された前記在席状態に人物の着席状態が含まれない場合に、前記不在時制御量情報記憶部から前記不在時制御量を読み込み、この読み込んだ不在時制御量に基づいて前記電動ブラインドを動作させるブラインド制御コマンドを生成する
ことを特徴とする。
［４］上記の課題を解決するため、本発明の一態様である電動ブラインド制御プログラムは、電動ブラインドに対応付けられた人物在席位置における、前記電動ブラインドの遮光または減光のための制御量を記憶するブラインド制御量情報記憶部を備えるコンピュータを、前記人物在席位置における人物の在席状態を登録する在席状態登録手段と、前記在席状態登録手段に登録された前記在席状態に基づき前記ブラインド制御量情報記憶部から前記制御量を読み込み、この読み込んだ制御量に基づいて前記電動ブラインドを動作させるブラインド制御コマンドを生成するブラインド制御コマンド生成手段と、前記ブラインド制御コマンド生成手段が生成した前記ブラインド制御コマンドを前記電動ブラインドに供給して制御するブラインド制御手段と、して機能させる。
【発明の効果】
【０００７】
本発明によれば、電動ブラインドを通した眩しさの軽減と室内の省エネルギの確保とを、室内に存在する人の配置に応じて適切に行うことができる。
【図面の簡単な説明】
【０００８】
【図１】本発明の第１実施形態である電動ブラインド制御装置が適用された電動ブラインド制御システムが設置されるオフィスフロアの概略の平面図である。
【図２】同実施形態において、電動ブラインド制御システムの機能構成を示すブロック図である。
【図３】ブラインド制御量情報のデータ構成を示す図である。
【図４】不在時制御量情報のデータ構成を示す図である。
【図５】同実施形態において、在席フラグデータがオンである場合のブラインド制御コマンド生成部が生成する制御テーブルのデータ構成を示す図である。
【図６】同実施形態および本発明の第２実施形態において、電動ブラインド制御装置が電動ブラインドを制御する処理の手順を示すフローチャートである。
【図７】第２実施形態において、電動ブラインド制御システムの機能構成を示すブロック図である。
【図８】好み制御量情報のデータ構成を示す図である。
【図９】同実施形態において、在席フラグデータがオンである場合のブラインド制御コマンド生成部が生成する制御テーブルのデータ構成を示す図である。
【発明を実施するための形態】
【０００９】
以下、本発明を実施するための形態について、図面を参照して詳細に説明する。
［第１の実施の形態］
図１は、本発明の第１実施形態である電動ブラインド制御装置が適用された電動ブラインド制御システムが設置されるオフィスフロアの概略の平面図である。同図に示すように、オフィスフロアには、外光を取り入れる窓Ｗ１〜Ｗ４が設けられている。そして、オフィスフロア内には、窓Ｗ１〜Ｗ４それぞれに対応して、電動ブラインド１Ａ〜１Ｄ（以下、電動ブラインド１Ａ〜１Ｄを総称して、またはいずれかを指して電動ブラインド１と呼ぶこともある。）がそれぞれ設置されている。電動ブラインド１Ａ〜１Ｄそれぞれは、ここでは図示せず後述する電動ブラインド制御装置から供給されるブラインド制御コマンドを取り込み、そのブラインド制御コマンドに基づいてブラインドを動作させることにより、外光を遮光したり入射量を調節したりする電動式ブラインドである。
【００１０】
電動ブラインド１Ａを挟んで窓Ｗ１の反対側（オフィスフロア内側）には、電動ブラインド１Ａに近い順にデスクＡ１からデスクＡ４までが配置されている。また、電動ブラインド１Ｂを挟んで窓Ｗ２の反対側には、電動ブラインド１Ｂに近い順にデスクＢ１からデスクＢ４までが配置されている。また、電動ブラインド１Ｃを挟んで窓Ｗ３の反対側には、電動ブラインド１Ｃに近い順にデスクＣ１からデスクＣ４までが配置されている。さらに、電動ブラインド１Ｄを挟んで窓Ｗ４の反対側には、電動ブラインド１Ｄに近い順にデスクＤ１からデスクＤ４までが配置されている。以下、デスクＡ１〜Ａ４と、デスクＢ１〜Ｂ４と、デスクＣ１〜Ｃ４と、デスクＤ１〜Ｄ４とを総称して、またはいずれかを指して単に「デスク」と呼ぶこともある。
【００１１】
なお、本実施形態は、デスク以外にも、椅子、ソファ、ベッド等が配置された場合にも適用可能である。これらデスク等が存在する位置は、当該デスク等が設けられた位置に人物が任意時間留まることのできる人物在席位置である。
【００１２】
次に、第１実施形態における電動ブラインド制御システムの機能構成について説明する。図２は、電動ブラインド制御システムの機能構成を示すブロック図である。同図に示すように、電動ブラインド制御システム１００は、在席検出装置１０と、電動ブラインド制御装置２０と、電動ブラインド１Ａ〜１Ｄとを含んで構成される。
【００１３】
在席検出装置１０は、オフィスフロアに配置されたデスクＡ１〜Ａ４とデスクＢ１〜Ｂ４とデスクＣ１〜Ｃ４とデスクＤ１〜Ｄ４とにおいて、人の在席状態を検出してその検出結果である在席検出情報を生成し電動ブラインド制御装置２０に供給する。在席状態は、人がデスクに着席している着席状態か離席している離席状態かいずれかである。在席検出装置１０は、人がデスクに着席したり離席したりするたびに、その在席状態を検出して在席検出情報を生成し、この在席検出情報を電動ブラインド制御装置２０に供給する。
具体的には、在席検出装置１０は、例えばＲＦＩＤ（Ｒａｄｉｏ  Ｆｒｅｑｕｅｎｃｙ  ＩＤｅｎｔｉｆｉｃａｔｉｏｎ）技術を適用して、人がデスクに着席するとその着席状態を検出し、その人の識別情報（人物ＩＤ）とその人が着席したデスクの識別情報（デスクＩＤ）とを在席検出情報として電動ブラインド制御装置２０に送信する。また、在席検出装置１０は、人が離席するとその離席状態を検出し、その人が離席したデスクのデスクＩＤを在席検出情報として電動ブラインド制御装置２０に送信する。
【００１４】
より具体的には、デスクを利用する各人は、自身の人物ＩＤ（例えば、社員番号等）が記憶されたＩＣチップと電池とアンテナとを封入したＩＣタグを身に付けまたは所持する。このＩＣタグは、アクティブタグであり、電池駆動によってＩＣチップが当該ＩＣチップに記憶された人物ＩＤを読み出してアンテナから送信する機能を有するものである。また、各デスクには、ＩＣタグのアンテナから送信された人物ＩＤを受信して取り込むリーダ装置が設置される。デスクに設置されたリーダ装置のアンテナと、そのデスクに着席した人が身に付けまたは所持したＩＣタグのアンテナとの間でのみ電波を送受信可能なように、当該リーダ装置と当該ＩＣタグとの電波の送信電力は制限されている。リーダ装置は、ＩＣタグから送信された人物ＩＤを受信して取り込むと、この人物ＩＤと当該リーダ装置に予め記憶してあるデスクＩＤとを、在席検出情報として電動ブラインド制御装置２０に送信する。また、リーダ装置は、ＩＣタグから送信された人物ＩＤを受信できなくなると、当該リーダ装置のデスクＩＤを在席検出情報として電動ブラインド制御装置２０に送信する。
【００１５】
なお、ＩＣタグをパッシブタグで構成してもよい。この場合は、ＩＣタグを所持した人は、デスクに着席したときにそのＩＣタグをリーダ装置のＩＣタグ読取部に載置または装着してＩＣタグとリーダ装置とを通信可能にし、離席するときは、そのＩＣタグを所持して離席する。つまり、離席するときには、ＩＣタグをリーダ装置のＩＣタグ読取部から離れさせて通信不能にする。
【００１６】
電動ブラインド制御装置２０は、デスクＡ１〜Ａ４の在席状態に応じて電動ブラインド１Ａの動作を制御し、デスクＢ１〜Ｂ４の在席状態に応じて電動ブラインド１Ｂの動作を制御し、デスクＣ１〜Ｃ４の在席状態に応じて電動ブラインド１Ｃの動作を制御し、デスクＤ１〜Ｄ４の在席状態に応じて電動ブラインド１Ｄの動作を制御する。
【００１７】
具体的には、電動ブラインド制御装置２０は、電動ブラインド１Ａ〜１Ｄそれぞれに対応して、対象である４つのデスクそれぞれについてのブラインド制御の優先度と、電動ブラインド１の制御量とを含むブラインド制御量情報を記憶する。また、電動ブラインド制御装置２０は、電動ブラインド１Ａ〜１Ｄそれぞれに対応して、対象である４つのデスクのデスクＩＤと、これら４つのデスクにだれも着席していない状態であるときに制御すべき電動ブラインド１の制御量である不在時制御量とを含む不在時制御量情報を記憶する。
【００１８】
そして、電動ブラインド制御装置２０は、在席検出装置１０から供給される在席検出情報を取り込むと、その在席検出情報により、オフィスフロア全体の在席状態を表す情報を更新する。そして、電動ブラインド制御装置２０は、更新された在席状態を表す情報と不在時制御量情報とブラインド制御量情報とに基づいて電動ブラインド１を制御可能であるか否かについて判定する。そして、電動ブラインド制御装置２０は、制御可能であると判定した場合にブラインド制御コマンドを生成し、そのブラインド制御コマンドを制御すべき電動ブラインド１に供給する。
【００１９】
より詳細に、電動ブラインド制御装置２０の機能構成を説明する。電動ブラインド制御装置２０は、ブラインド制御量情報記憶部２１と、不在時制御量情報記憶部２２と、在席状態登録部２３と、ブラインド制御コマンド生成部２４と、ブラインド制御部２５とを備える。
ブラインド制御量情報記憶部２１は、上記のブラインド制御量情報を記憶する。不在時制御量情報記憶部２２は、上記の不在時制御量情報を記憶する。ブラインド制御量情報記憶部２１および不在時制御量情報記憶部２２は、例えば、磁気ハードディスク装置またはメモリで構成される。ブラインド制御量情報および不在時制御量情報の具体例については後述する。
【００２０】
在席状態登録部２３は、例えばメモリで構成され、在席検出装置１０から供給される在席検出情報を取り込んで記憶する。
具体的には、図１に示すオフィスフロアを例とした場合、在席状態登録部２３は、１６個のデスクＩＤそれぞれと各デスクＩＤに対応する人物ＩＤとをペアデータとし、１６個のペアデータをマッピングするメモリマップをメモリ空間上に作成する。つまり、このメモリマップに展開される１６個のペアデータが、在席状態を表す情報である。このメモリマップにおいて、デスクＡ１〜Ａ４の各デスクＩＤと各デスクＩＤに対応する人物ＩＤとの組のデータグループはグループ１であり、デスクＢ１〜Ｂ４の各デスクＩＤと各デスクＩＤに対応する人物ＩＤとの組のデータグループはグループ２であり、デスクＣ１〜Ｃ４の各デスクＩＤと各デスクＩＤに対応する人物ＩＤとの組のデータグループはグループ３であり、デスクＤ１〜Ｄ４の各デスクＩＤと各デスクＩＤに対応する人物ＩＤとの組のデータグループはグループ４である。在席状態登録部２３は、在席検出装置１０から供給された在席検出情報を取り込むと、その在席検出情報がデスクＩＤと人物ＩＤとである場合は、これらデスクＩＤと人物ＩＤとのペアデータを、デスクＩＤをキーとしてメモリマップに新規に登録または更新する。また、在席状態登録部２３は、在席検出情報がデスクＩＤである場合は、人物ＩＤをヌルデータとし、在席検出情報であるデスクＩＤとヌルデータとのペアデータを、デスクＩＤをキーとしてメモリマップに新規に登録または更新する。
【００２１】
ブラインド制御コマンド生成部２４は、在席検出情報に含まれるデスクＩＤが属するデータグループのうち、人が着席した状態であるデスクのデスクＩＤとそのデスクに着席している人の人物ＩＤとのペアデータをメモリマップから読み込む。具体的には、ブラインド制御コマンド生成部２４は、在席検出装置１０から供給された在席検出情報が在席状態登録部２３に記憶されると、その在席検出情報に含まれるデスクＩＤが属するデータグループ（グループ１〜４のいずれか）におけるデスクＩＤとヌルデータでない人物ＩＤとのペアデータをメモリマップから読み込む。
そして、ブラインド制御コマンド生成部２４は、ペアデータをメモリマップから読み込んだ場合は、在席フラグデータをオン（例えば“１”）にする。
【００２２】
在席検出情報に含まれるデスクＩＤが属するデータグループにおける全てのペアデータが、デスクＩＤとヌルデータとのペアデータである場合、つまり、対象であるグループのデスクに誰も着席していない状態である場合、ブラインド制御コマンド生成部２４は、デスクＩＤとヌルデータでない人物ＩＤとのペアデータをメモリマップから読み込むことができない。この場合、ブラインド制御コマンド生成部２４は、在席フラグデータをオフ（例えば“０”）にする。
【００２３】
在席フラグデータがオンである場合、ブラインド制御コマンド生成部２４は、メモリマップから読み込んだデスクＩＤを検索キーとして、ブラインド制御量情報記憶部２１からその検索キーに対応付けられた優先度と制御量とブラインドＩＤとを読み込む。ブラインドＩＤは、電動ブラインド１に予め対応付けられた識別情報である。そして、ブラインド制御コマンド生成部２４は、デスクＩＤをキーとして、このキーに対応付けられた優先度と制御量との制御テーブルを生成してブラインドＩＤに対応付ける。そして、ブラインド制御コマンド生成部２４は、その制御テーブルから優先度が最も高いレコードを抽出し、さらにそのレコードから制御量を抽出する。そして、ブラインド制御コマンド生成部２４は、抽出した制御量と、ブラインドＩＤに対応する電動ブラインド１に現在供給している制御量とが同じであるか否かについて判定する。そして、ブラインド制御コマンド生成部２４は、抽出した制御量と、電動ブラインド１に現在供給している制御量とが異なると判定した場合、抽出した制御量を含めたブラインド制御コマンドを生成する。
【００２４】
また、在席フラグデータがオフである場合、ブラインド制御コマンド生成部２４は、在席検出情報であるデスクＩＤを検索キーとして、不在時制御量情報記憶部２２からその検索キーに対応付けられた不在時制御量とブラインドＩＤとを読み込む。そして、ブラインド制御コマンド生成部２４は、読み込んだ不在時制御量を含めたブラインド制御コマンドを生成する。
【００２５】
ブラインド制御コマンド生成部２４は、生成したブラインド制御コマンドとブラインドＩＤとをブラインド制御部２５に供給する。そして、ブラインド制御コマンド生成部２４は、ブラインド制御コマンドに含めた制御量をブラインドＩＤに対応付けて記憶する。
【００２６】
ブラインド制御部２５は、ブラインド制御コマンド生成部２４から供給されたブラインド制御コマンドとブラインドＩＤとを取り込み、ブラインドＩＤに対応する電動ブラインド１に対してブラインド制御コマンドを送信する。
【００２７】
電動ブラインド１Ａ〜１Ｄそれぞれは、多層に構成されたスラットを昇降させる昇降用モータと、スラットを回転させて角度を変える回転用モータと、これら昇降用モータおよび回転用モータを制御するモータ制御部とを備えた電動式ブラインドである。モータ制御部は、電動ブラインド制御装置２０のブラインド制御部２５から供給されるブラインド制御コマンドを取り込み、そのブラインド制御コマンドに含まれる制御量に基づいて、昇降用モータを駆動させてスラットを昇降させたり、回転用モータを駆動させてスラットの角度を変更したりする。
【００２８】
図３（ａ）〜（ｃ）それぞれは、ブラインド制御量情報のデータ構成を示す図である。同図（ａ）は、電動ブラインド１Ａ（ブラインドＩＤ＝“ＩＤ０１Ａ”）に対応するブラインド制御量情報の例であり、同図（ｂ）は、電動ブラインド１Ｂ（ブラインドＩＤ＝“ＩＤ０１Ｂ”）に対応するブラインド制御量情報の例であり、同図（ｃ）は、電動ブラインド１Ｃ（ブラインドＩＤ＝“ＩＤ０１Ｃ”）に対応するブラインド制御量情報の例である。なお、電動ブラインド１Ｄに対応するブラインド制御量情報の例は省略する。
【００２９】
図３（ａ）〜（ｃ）にそれぞれ示すように、ブラインド制御量情報は、電動ブラインド１ごとに、「デスクＩＤ」と「優先度」と「制御量」とを対応付けたデータテーブルである。そして、ブラインド制御量情報は、「ブラインドＩＤ」に対応付けられてブラインド制御量情報記憶部２１に記憶される。「デスクＩＤ」は、ブラインドＩＤに対応する電動ブラインド１に関連付けられたデスクの識別情報である。「優先度」は、電動ブラインド制御装置２０が電動ブラインド１の制御量を決定する順位を示す情報である。同図（ａ）〜（ｃ）の例において、優先度は、“１”が最も高く、数字が大きくなるほど低くなる。この優先度は、デスクが電動ブラインド１に近いほど高くなるように設けられる。つまり、電動ブラインド制御装置２０は、電動ブラインド１に最も近いデスクに合わせて電動ブラインド１を制御する。なお、同図（ｃ）において、優先度＝“−”は、優先度を指定しないことを意味する。「制御量」は、電動ブラインド１が遮光または減光するための制御量を表すデータであり、対応するデスクにおいて眩しさを抑えるのに適切な、電動ブラインド１のスラットの設定角度またはスラットの上昇率もしくは下降率を表すデータである。具体的には、同図（ａ）の制御量＝“６５度”は、例えば、スラットを水平にしたときの角度を０度とし、スラットの凸面が外光を直接受ける向きに６５度回転させることを意味する。また、同図（ｂ）の制御量＝“４０％”は、例えば、ブラインドを降ろした状態からスラットを４０％上昇させることを意味する。
なお、ブラインド制御量情報は、季節、月、日、時間等の期間に応じて設けられるようにしてもよい。
【００３０】
図４は、不在時制御量情報のデータ構成を示す図である。同図に示すように、不在時制御量情報は、「ブラインドＩＤ」と「デスクＩＤ」と「不在時制御量」とを対応付けたデータテーブルである。「ブラインドＩＤ」は、電動ブラインド１Ａ〜１Ｄそれぞれに対応付けられた識別情報である。「デスクＩＤ」は、ブラインドＩＤに対応付けられた電動ブラインド１に関連付けられたデスクのデスクＩＤである。「不在時制御量」は、４つのデスクに誰も着席していない状態のときに電動ブラインド１を制御する制御量である。具体的には、同図の不在時制御量＝“１００％”は、例えば、ブラインドを全て上げることを意味する。また、不在時制御量＝“−６０度”は、例えば、スラットを水平にしたときの角度を０度とし、スラットの凸面がオフィスフロア内に向く方向に６０度回転させることを意味する。つまり、「不在時制御量」は、例えば、省エネルギ効果を適切に発揮することのできる制御量である。
なお、不在時制御量情報は、季節、月、日、時間等の期間に応じて設けられるようにしてもよい。
【００３１】
図５は、在席フラグデータがオンである場合のブラインド制御コマンド生成部２４が生成する制御テーブルのデータ構成を示す図である。同図は、電動ブラインド１Ａ（ブラインドＩＤ＝“ＩＤ０１Ａ”）に対応する制御テーブルである。同図に示すように、制御テーブルは、「デスクＩＤ」と「優先度」と「制御量」とを対応付けたデータテーブルである。「デスクＩＤ」は、ブラインド制御コマンド生成部２４が在席状態登録部２３のメモリマップから読み込んだデスクＩＤである。つまり、デスクＩＤ＝“ＩＤ＿Ａ２”であるデスクと、デスクＩＤ＝“ＩＤ＿Ａ３”であるデスクとが、人が着席している状態であることを意味する。「優先度」と「制御量」と「ブラインドＩＤ」とは、ブラインド制御コマンド生成部２４がデスクＩＤを検索キーとしてブラインド制御量情報記憶部２１から読み込んだ優先度と制御量とブラインドＩＤとである。同図の制御テーブルの例では、電動ブラインド制御装置２０は、この制御テーブルから優先度が最も高いレコードとして、デスクＩＤが“ＩＤ＿Ａ２”であるレコードを抽出し、さらにそのレコードから制御量＝“５５度”を抽出する。
【００３２】
次に、電動ブラインド制御装置２０の動作について説明する。図６は、電動ブラインド制御装置２０が電動ブラインド１を制御する処理の手順を示すフローチャートである。
まず、ステップＳ１において、在席状態登録部２３は、在席検出装置１０から在席検出情報が供給されるまで入力受付状態である（Ｓ１：ＮＯ）。そして、在席検出装置１０から在席検出情報が供給されると（Ｓ１：ＹＥＳ）、ステップＳ２において、在席状態登録部２３は、供給された在席検出情報を取り込んで記憶、すなわち、在席状態を登録する。
具体的には、在席状態登録部２３は、供給された在席検出情報を取り込むと、その在席検出情報がデスクＩＤと人物ＩＤとである場合は、これらデスクＩＤと人物ＩＤとのペアデータを、デスクＩＤをキーとしてメモリマップに新規に登録または更新する。また、在席状態登録部２３は、在席検出情報がデスクＩＤである場合は、人物ＩＤをヌルデータとし、在席検出情報であるデスクＩＤとヌルデータとのペアデータを、デスクＩＤをキーとしてメモリマップに新規に登録または更新する。
【００３３】
次に、ステップＳ３において、ブラインド制御コマンド生成部２４は、在席検出情報に含まれるデスクＩＤが属するデータグループに対応する４つのデスクの在席状態を調べる。
具体的には、ブラインド制御コマンド生成部２４は、在席検出情報に含まれるデスクＩＤが属するデータグループ（グループ１〜４のいずれか）におけるデスクＩＤとヌルデータでない人物ＩＤとのペアデータをメモリマップから読み込む。そして、ブラインド制御コマンド生成部２４は、ペアデータをメモリマップから読み込んだ場合は、在席フラグデータをオン（例えば“１”）にする。また、ブラインド制御コマンド生成部２４は、デスクＩＤとヌルデータでない人物ＩＤとのペアデータをメモリマップから読み込むことができない場合は、在席フラグデータをオフ（例えば“０”）にする。
【００３４】
ステップＳ４において、ブラインド制御コマンド生成部２４は、４つのデスクの少なくとも１つのデスクに人が着席していると判定した場合、言い換えると在席フラグデータをオンにした場合（Ｓ４：ＮＯ）、ステップＳ５の処理に移る。また、ブラインド制御コマンド生成部２４は、４つのデスクとも人が離席していると判定した場合、言い換えると在席フラグデータをオフにした場合（Ｓ４：ＹＥＳ）、ステップＳ８の処理に移る。
【００３５】
ステップＳ５において、ブラインド制御コマンド生成部２４は、在席状態登録部２３のメモリマップのデータとブラインド制御量情報記憶部２１に記憶されたブラインド制御量情報とに基づいて制御テーブルを生成する。
具体的には、ブラインド制御コマンド生成部２４は、メモリマップから読み込んだデスクＩＤを検索キーとして、ブラインド制御量情報記憶部２１からその検索キーに対応付けられた優先度と制御量とブラインドＩＤとを読み込む。次に、ブラインド制御コマンド生成部２４は、デスクＩＤをキーとして、このキーに対応付けられた優先度と制御量との制御テーブルを生成してブラインドＩＤに対応付ける。
【００３６】
次に、ステップＳ６において、ブラインド制御コマンド生成部２４は、制御テーブルに基づいて、対応する電動ブラインド１を制御可能か否かについて判定する。
具体的には、ブラインド制御コマンド生成部２４は、制御テーブルから優先度が最も高いレコードを抽出し、次にそのレコードから制御量を抽出する。次に、ブラインド制御コマンド生成部２４は、抽出した制御量と、ブラインドＩＤに対応する電動ブラインド１に現在供給している制御量とが同じであるか否かについて判定する。
ブラインド制御コマンド生成部２４は、抽出した制御量と、電動ブラインド１に現在供給している制御量とが異なると判定した場合（Ｓ６：ＹＥＳ）、ステップＳ７の処理に移る。一方、ブラインド制御コマンド生成部２４は、抽出した制御量と、電動ブラインド１に現在供給している制御量とが同一であると判定した場合（Ｓ６：ＮＯ）、ステップＳ１の処理に戻る。
【００３７】
ステップＳ７において、ブラインド制御コマンド生成部２４は、制御テーブルから抽出した制御量を含めたブラインド制御コマンドを生成する。
【００３８】
一方、ステップＳ４：ＹＥＳに続くステップＳ８において、ブラインド制御コマンド生成部２４は、在席検出情報であるデスクＩＤを検索キーとして、不在時制御量情報記憶部２２からその検索キーに対応付けられた不在時制御量とブラインドＩＤとを読み込む。次に、ブラインド制御コマンド生成部２４は、読み込んだ不在時制御量を含めたブラインド制御コマンドを生成する。
【００３９】
ステップＳ９において、ブラインド制御コマンド生成部２４は、生成したブラインド制御コマンドとブラインドＩＤとをブラインド制御部２５に供給する。次に、ブラインド制御コマンド生成部２４は、ブラインド制御コマンドに含めた制御量をブラインドＩＤに対応付けて記憶する。次に、ブラインド制御部２５は、ブラインド制御コマンド生成部２４から供給されたブラインド制御コマンドとブラインドＩＤとを取り込み、ブラインドＩＤに対応する電動ブラインド１に対してブラインド制御コマンドを送信する。次に、ステップＳ１の処理に戻る。
【００４０】
上述したとおり、本発明の第１実施形態である電動ブラインド制御装置２０が適用された電動ブラインド制御システム１００によれば、在席検出装置１０が検出するデスクの在席状態の変化に応じて、電動ブラインド制御装置２０が電動ブラインド１Ａ〜１Ｄのスラットの角度またはスラットの昇降を調節する。このとき、電動ブラインド制御装置２０は、電動ブラインド１に最も近い位置に着席している人に合わせて電動ブラインド１を制御する。このように電動ブラインド制御装置２０を構成したことにより、電動ブラインド１に最も近い位置に着席している人が眩しさの影響を受けることなく、デスクの在席状態に応じた電動ブラインド１の制御を行うことができる。また、電動ブラインド制御装置２０は、電動ブラインド１に対応付けられたデスクに誰も着席していないことを検出した場合は、眩しさの影響を受ける人が在席していないため、予め設定された省エネ対応の制御量で電動ブラインド１を制御する。このように電動ブラインド制御装置２０を構成したことにより、眩しさの軽減と室内の省エネルギの確保とを適切に行うことができる。
【００４１】
［第２の実施の形態］
上述した第１実施形態における電動ブラインド制御システム１００において、電動ブラインド制御装置２０が電動ブラインド１を制御する制御量は、デスクごとに予め決められた制御量であった。本発明第２実施形態は、デスクとそのデスクを利用する人との組み合わせに対応して決められた制御量を用いる例である。
【００４２】
本発明の第２実施形態である電動ブラインド制御装置が適用された電動ブラインド制御システムが設置されるオフィスフロアの概略の平面図として、第１実施形態において説明した図１を用いる。よって、同図についての説明は省略する。また、本実施形態における機能構成の説明において、第１実施形態の機能構成と同一の構成については、同一の符号を付してその説明を省略する。
図７は、第２実施形態における電動ブラインド制御システムの機能構成を示すブロック図である。同図に示すように、電動ブラインド制御システム１００ａは、第１実施形態における電動ブラインド制御システム１００に対して電動ブラインド制御装置２０が電動ブラインド制御装置２０ａに変更された構成を有する。
【００４３】
電動ブラインド制御装置２０ａは、デスクＡ１〜Ａ４の在席状態に応じて電動ブラインド１Ａの動作を制御し、デスクＢ１〜Ｂ４の在席状態に応じて電動ブラインド１Ｂの動作を制御し、デスクＣ１〜Ｃ４の在席状態に応じて電動ブラインド１Ｃの動作を制御し、デスクＤ１〜Ｄ４の在席状態に応じて電動ブラインド１Ｄの動作を制御する。
【００４４】
具体的には、電動ブラインド制御装置２０ａは、電動ブラインド１Ａ〜１Ｄそれぞれに対応して、対象である４つのデスクそれぞれについてのブラインド制御の優先度と、電動ブラインド１の制御量とを含むブラインド制御量情報を記憶する。また、電動ブラインド制御装置２０ａは、電動ブラインド１Ａ〜１Ｄそれぞれに対応して、対象である４つのデスクのデスクＩＤと、これら４つのデスクにだれも着席していない状態であるときに制御すべき電動ブラインド１の制御量とを含む不在時制御量情報を記憶する。さらに、電動ブラインド制御装置２０ａは、人それぞれに対応して、使用するデスクにおける電動ブラインド１の時間帯ごとの制御量の好み値を含む好み制御量情報を格納する。
【００４５】
そして、電動ブラインド制御装置２０ａは、在席検出装置１０から供給される在席検出情報を取り込むと、その在席検出情報により、オフィスフロア全体の在席状態を表す情報を更新する。そして、電動ブラインド制御装置２０ａは、更新された在席状態を表す情報と不在時制御量情報とブラインド制御量情報と好み制御量情報とに基づいて電動ブラインド１を制御可能であるか否かについて判定する。そして、電動ブラインド制御装置２０ａは、制御可能であると判定した場合にブラインド制御コマンドを生成し、そのブラインド制御コマンドを制御すべき電動ブラインド１に供給する。
【００４６】
より詳細に、電動ブラインド制御装置２０ａの機能構成を説明する。電動ブラインド制御装置２０ａは、第１実施形態における電動ブラインド制御装置２０に対して、好み制御量情報記憶部２６が追加されるとともに、ブラインド制御コマンド生成部２４がブラインド制御コマンド生成部２４ａに変更された構成を備える。
好み制御量情報記憶部２６は、上記の好み制御量情報を記憶する。好み制御量情報記憶部２６は、例えば、磁気ハードディスク装置またはメモリで構成される。好み制御量情報の具体例については後述する。
【００４７】
ブラインド制御コマンド生成部２４ａは、在席検出情報に含まれるデスクＩＤが属するデータグループのうち、人が着席した状態であるデスクのデスクＩＤとそのデスクに着席している人の人物ＩＤとのペアデータをメモリマップから読み込む。具体的には、ブラインド制御コマンド生成部２４ａは、在席検出装置１０から供給された在席検出情報が在席状態登録部２３に記憶されると、その在席検出情報に含まれるデスクＩＤが属するデータグループ（グループ１〜４のいずれか）におけるデスクＩＤとヌルデータでない人物ＩＤとのペアデータをメモリマップから読み込む。
そして、ブラインド制御コマンド生成部２４ａは、ペアデータをメモリマップから読み込んだ場合は、在席フラグデータをオン（例えば“１”）にする。
【００４８】
在席検出情報に含まれるデスクＩＤが属するデータグループにおける全てのペアデータが、デスクＩＤとヌルデータとのペアデータである場合、つまり、対象であるグループのデスクに誰も着席していない状態である場合、ブラインド制御コマンド生成部２４ａは、デスクＩＤとヌルデータでない人物ＩＤとのペアデータをメモリマップから読み込むことができない。この場合、ブラインド制御コマンド生成部２４ａは、在席フラグデータをオフ（例えば“０”）にする。
【００４９】
在席フラグデータがオンである場合、ブラインド制御コマンド生成部２４ａは、メモリマップから読み込んだデスクＩＤを検索キーとして、ブラインド制御量情報記憶部２１からその検索キーに対応付けられた優先度と制御量とブラインドＩＤとを読み込む。また、ブラインド制御コマンド生成部２４ａは、メモリマップから読み込んだデスクＩＤと人物ＩＤとのペアデータを検索キーとして、好み制御量情報記憶部２６からその検索キーに対応付けられた制御量の好み値を読み込む。そして、ブラインド制御コマンド生成部２４ａは、デスクＩＤをキーとして、このキーに対応付けられた優先度と制御量と人物ＩＤと制御量の好み値との制御テーブルを生成してブラインドＩＤに対応付ける。そして、ブラインド制御コマンド生成部２４ａは、その制御テーブルから優先度が最も高いレコードを抽出する。そして、ブラインド制御コマンド生成部２４ａは、抽出したレコードに制御量の好み値が格納されている場合はその好み値を制御量として抽出し、レコードに制御量の好み値が格納されていない場合は制御量を抽出する。そして、ブラインド制御コマンド生成部２４ａは、抽出した制御量と、ブラインドＩＤに対応する電動ブラインド１に現在供給している制御量とが同じであるか否かについて判定する。そして、ブラインド制御コマンド生成部２４ａは、抽出した制御量と、電動ブラインド１に現在供給している制御量とが異なると判定した場合、抽出した制御量を含めたブラインド制御コマンドを生成する。
【００５０】
また、在席フラグデータがオフである場合、ブラインド制御コマンド生成部２４ａは、在席検出情報であるデスクＩＤを検索キーとして、不在時制御量情報記憶部２２からその検索キーに対応付けられた不在時制御量とブラインドＩＤとを読み込む。そして、ブラインド制御コマンド生成部２４ａは、読み込んだ不在時制御量を含めたブラインド制御コマンドを生成する。
【００５１】
ブラインド制御コマンド生成部２４ａは、生成したブラインド制御コマンドとブラインドＩＤとをブラインド制御部２５に供給する。そして、ブラインド制御コマンド生成部２４ａは、ブラインド制御コマンドに含めた制御量をブラインドＩＤに対応付けて記憶する。
【００５２】
図８は、好み制御量情報のデータ構成を示す図である。同図は、人物ＩＤ＝“ＩＤ００３”である人物に対応する好み制御量情報の例である。同図に示すように、好み制御量情報は、人物ごとに、「デスクＩＤ」と「好み値」とを対応付け他データテーブルである。そして、好み制御量情報は、「人物ＩＤ」に対応付けられて好み制御量情報記憶部２６に記憶される。「デスクＩＤ」は、人物ＩＤに対応する人物が利用するデスクの識別情報である。つまり、同図の好み制御量情報の例では、人物ＩＤ＝“ＩＤ００３”である人物は、デスクＩＤ＝“ＩＤ＿Ａ２”であるデスクと、デスクＩＤ＝“ＩＤ＿Ｂ４”であるデスクとを利用することを意味する。「好み値」は、人物ＩＤに対応付けられる人物にとって眩しさを抑えるのに適切な電動ブラインド１の制御量の好み値であり、例えば、同図のように時間帯に対応させて設定される。この制御量の好み値は、電動ブラインド１のスラットの設定角度またはスラットの上昇率もしくは下降率を表すデータである。
【００５３】
図９は、在席フラグデータがオンである場合のブラインド制御コマンド生成部２４ａが生成する制御テーブルのデータ構成を示す図である。同図は、電動ブラインド１Ａ（ブラインドＩＤ＝“ＩＤ０１Ａ”）に対応する制御テーブルである。同図に示すように、制御テーブルは、「デスクＩＤ」と「優先度」と「制御量」と「人物ＩＤ」と「好み値」とを対応付けたデータテーブルである。「デスクＩＤ」および「人物ＩＤ」は、ブラインド制御コマンド生成部２４ａが在席状態登録部２３のメモリマップから読み込んだデスクＩＤおよび人物ＩＤである。「優先度」と「制御量」と「ブラインドＩＤ」とは、ブラインド制御コマンド生成部２４ａがデスクＩＤを検索キーとしてブラインド制御量情報記憶部２１から読み込んだ優先度と制御量とブラインドＩＤとである。「好み値」は、ブラインド制御コマンド生成部２４ａがデスクＩＤと人物ＩＤとを検索キーとして好み制御量情報記憶部２６から読み込んだ制御量の好み値である。同図の制御テーブルの例では、電動ブラインド制御装置２０ａは、この制御テーブルから優先度が最も高いレコードとして、デスクＩＤが“ＩＤ＿Ａ２”であるレコードを抽出し、さらにそのレコードから制御量として好み値＝“６０度”を抽出する。
【００５４】
次に、電動ブラインド制御装置２０ａの動作について説明する。電動ブラインド制御装置２０ａが電動ブラインド１を制御する処理の手順を示すフローチャートは、図６に示したフローチャートと同一である。よって、同図のフローチャートを参照して説明する。
まず、ステップＳ１において、在席状態登録部２３は、在席検出装置１０から在席検出情報が供給されるまで入力受付状態である（Ｓ１：ＮＯ）。そして、在席検出装置１０から在席検出情報が供給されると（Ｓ１：ＹＥＳ）、ステップＳ２において、在席状態登録部２３は、供給された在席検出情報を取り込んで記憶、すなわち、在席状態を登録する。
具体的には、在席状態登録部２３は、供給された在席検出情報を取り込むと、その在席検出情報がデスクＩＤと人物ＩＤとである場合は、これらデスクＩＤと人物ＩＤとのペアデータを、デスクＩＤをキーとしてメモリマップに新規に登録または更新する。また、在席状態登録部２３は、在席検出情報がデスクＩＤである場合は、人物ＩＤをヌルデータとし、在席検出情報であるデスクＩＤとヌルデータとのペアデータを、デスクＩＤをキーとしてメモリマップに新規に登録または更新する。
【００５５】
次に、ステップＳ３において、ブラインド制御コマンド生成部２４ａは、在席検出情報に含まれるデスクＩＤが属するデータグループに対応する４つのデスクの在席状態を調べる。
具体的には、ブラインド制御コマンド生成部２４ａは、在席検出情報に含まれるデスクＩＤが属するデータグループ（グループ１〜４のいずれか）におけるデスクＩＤとヌルデータでない人物ＩＤとのペアデータをメモリマップから読み込む。そして、ブラインド制御コマンド生成部２４ａは、ペアデータをメモリマップから読み込んだ場合は、在席フラグデータをオン（例えば“１”）にする。また、ブラインド制御コマンド生成部２４ａは、デスクＩＤとヌルデータでない人物ＩＤとのペアデータをメモリマップから読み込むことができない場合は、在席フラグデータをオフ（例えば“０”）にする。
【００５６】
ステップＳ４において、ブラインド制御コマンド生成部２４ａは、４つのデスクの少なくとも１つのデスクに人が着席していると判定した場合、言い換えると在席フラグデータをオンにした場合（Ｓ４：ＮＯ）、ステップＳ５の処理に移る。また、ブラインド制御コマンド生成部２４ａは、４つのデスクとも人が離席していると判定した場合、言い換えると在席フラグデータをオフにした場合（Ｓ４：ＹＥＳ）、ステップＳ８の処理に移る。
【００５７】
ステップＳ５において、ブラインド制御コマンド生成部２４ａは、在席状態登録部２３のメモリマップのデータとブラインド制御量情報記憶部２１に記憶されたブラインド制御量情報と好み制御量情報記憶部２６に記憶された好み制御量情報とに基づいて制御テーブルを生成する。
具体的には、ブラインド制御コマンド生成部２４ａは、メモリマップから読み込んだデスクＩＤを検索キーとして、ブラインド制御量情報記憶部２１からその検索キーに対応付けられた優先度と制御量とブラインドＩＤとを読み込む。また、ブラインド制御コマンド生成部２４ａは、メモリマップから読み込んだデスクＩＤと人物ＩＤとのペアデータを検索キーとして、好み制御量情報記憶部２６からその検索キーに対応付けられた制御量の好み値を読み込む。次に、ブラインド制御コマンド生成部２４ａは、デスクＩＤをキーとして、このキーに対応付けられた優先度と制御量と人物ＩＤと制御量の好み値との制御テーブルを生成してブラインドＩＤに対応付ける。
【００５８】
次に、ステップＳ６において、ブラインド制御コマンド生成部２４ａは、制御テーブルに基づいて、対応する電動ブラインド１を制御可能か否かについて判定する。
具体的には、ブラインド制御コマンド生成部２４ａは、制御テーブルから優先度が最も高いレコードを抽出する。次に、ブラインド制御コマンド生成部２４ａは、抽出したレコードに制御量の好み値が格納されている場合はその好み値を制御量として抽出し、レコードに制御量の好み値が格納されていない場合は制御量を抽出する。次に、ブラインド制御コマンド生成部２４ａは、抽出した制御量と、ブラインドＩＤに対応する電動ブラインド１に現在供給している制御量とが同じであるか否かについて判定する。
ブラインド制御コマンド生成部２４ａは、抽出した制御量と、電動ブラインド１に現在供給している制御量とが異なると判定した場合（Ｓ６：ＹＥＳ）、ステップＳ７の処理に移る。一方、ブラインド制御コマンド生成部２４ａは、抽出した制御量と、電動ブラインド１に現在供給している制御量とが同一であると判定した場合（Ｓ６：ＮＯ）、ステップＳ１の処理に戻る。
【００５９】
ステップＳ７において、ブラインド制御コマンド生成部２４ａは、制御テーブルから抽出した制御量を含めたブラインド制御コマンドを生成する。
【００６０】
一方、ステップＳ４：ＹＥＳに続くステップＳ８において、ブラインド制御コマンド生成部２４ａは、在席検出情報であるデスクＩＤを検索キーとして、不在時制御量情報記憶部２２からその検索キーに対応付けられた不在時制御量とブラインドＩＤとを読み込む。次に、ブラインド制御コマンド生成部２４ａは、読み込んだ不在時制御量を含めたブラインド制御コマンドを生成する。
【００６１】
ステップＳ９において、ブラインド制御コマンド生成部２４ａは、生成したブラインド制御コマンドとブラインドＩＤとをブラインド制御部２５に供給する。次に、ブラインド制御コマンド生成部２４ａは、ブラインド制御コマンドに含めた制御量をブラインドＩＤに対応付けて記憶する。次に、ブラインド制御部２５は、ブラインド制御コマンド生成部２４ａから供給されたブラインド制御コマンドとブラインドＩＤとを取り込み、ブラインドＩＤに対応する電動ブラインド１に対してブラインド制御コマンドを送信する。次に、ステップＳ１の処理に戻る。
【００６２】
上述したとおり、本発明の第２実施形態である電動ブラインド制御装置２０ａが適用された電動ブラインド制御システム１００ａによれば、在席検出装置１０が検出するデスクの在席状態の変化に応じて、電動ブラインド制御装置２０ａが電動ブラインド１Ａ〜１Ｄのスラットの角度またはスラットの昇降を調節する。このとき、電動ブラインド制御装置２０ａは、電動ブラインド１に最も近い位置に着席している人に合わせて電動ブラインド１を制御する。このように電動ブラインド制御装置２０ａを構成したことにより、電動ブラインド１に最も近い位置に着席している人が眩しさの影響を受けることなく、デスクの在席状態に応じた電動ブラインド１の制御を行うことができる。また、電動ブラインド制御装置２０ａは、電動ブラインド１に対応付けられたデスクに誰も着席していないことを検出した場合は、眩しさの影響を受ける人が在席していないため、予め設定された省エネ対応の制御量で電動ブラインド１を制御する。このように電動ブラインド制御装置２０ａを構成したことにより、眩しさの軽減と室内の省エネルギの確保とを適切に行うことができる。
【００６３】
なお、上述した第１実施形態および第２実施形態における在席検出装置１０を、例えば、オフィスフロア内を撮像する撮像装置と、この撮像装置が撮像した画像データを画像認識処理して人物の在席状態を検出する画像認識処理装置とにより構成してもよい。
また、在席検出装置１０を、例えば、各デスクに設けた人感センサにより構成し、人がデスクに着席するとそのデスクに設けられた人感センサが人物を検出して電動ブラインド制御装置２０に報知するようにしてもよい。
【００６４】
また、電動ブラインド１Ａ〜１Ｄは、多層のスラットを有するベネシャンブラインドだけでなく、電動式のロールカーテンであってもよい。
【００６５】
また、上述した第１実施形態および第２実施形態における電動ブラインド制御装置の機能をコンピュータで実現するようにしてもよい。この場合、その機能を実現するための電動ブラインド制御プログラムをコンピュータ読み取り可能な記録媒体に記録して、この記録媒体に記録された電動ブラインド制御プログラムをコンピュータシステムに読み込ませ、実行することによって実現してもよい。なお、ここでいう「コンピュータシステム」とは、ＯＳ（Ｏｐｅｒａｔｉｎｇ  Ｓｙｓｔｅｍ）や周辺装置のハードウェアを含むものである。また、「コンピュータ読み取り可能な記録媒体」とは、フレキシブルディスク、光磁気ディスク、光ディスク、メモリカード等の可搬型記録媒体、コンピュータシステムに内蔵される磁気ハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバ装置やクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【００６６】
以上、本発明の実施の形態について図面を参照して詳述したが、具体的な構成はその実施形態に限られるものではなく、本発明の要旨を逸脱しない範囲の設計等も含まれる。
【符号の説明】
【００６７】
１Ａ〜１Ｄ  電動ブラインド
１０  在席検出装置
２０，２０ａ  電動ブラインド制御装置
２１  ブラインド制御量情報記憶部
２２  不在時制御量情報記憶部
２３  在席状態登録部
２４，２４ａ  ブラインド制御コマンド生成部
２５  ブラインド制御部
２６  好み制御量情報記憶部
１００，１００ａ  電動ブラインド制御システム
【図１】
0005516977.tif 000002
【図２】
0005516977.tif 000003
【図３】
0005516977.tif 000004
【図４】
0005516977.tif 000005
【図５】
0005516977.tif 000006
【図６】
0005516977.tif 000007
【図７】
0005516977.tif 000008
【図８】
0005516977.tif 000009
【図９】
0005516977.tif 000010